(57)【要約】  映像表示装置およびその制御方法が提供される。本発明の一実施形態による映像表示装置は、複数のプログレスバーから所定のプログレスパタイプを選択するための命令の入力を受ける選択部、所定の映像場面検索するため、複数のマーク（Ｍａｒｋ）を含む情報を保存し、前記プログレスバーに関するマーク情報を保存する保存部、および前記選択されたプログレスバーによって前記マークマークに該当する場面を前記保存部から呼び出して、前記場面を表示するように制御する制御部を含む。
2011505715.tif 000002
【特許請求の範囲】
【請求項１】
複数のプログレスバーから所定のプログレスバーを選択するための命令の入力を受ける選択部と、
所定の映像場面検索するために複数のマーク（Ｍａｒｋ）を含む情報を保存し、前記プログレスバーに関するマーク情報を保存する保存部、および
前記選択されたプログレスバーによって前記マークに該当する場面を前記保存部から呼び出して、前記場面を表示するように制御する制御部を含む映像表示装置。
【請求項２】
前記複数のプログレスバーはユーザの要求に応じて多数個具備される請求項１に記載の映像表示装置。
【請求項３】
前記複数のプログレスバーは、該当映像のハイライト場面に対するマークを含む第１プログレスバー、急激な転換場面に対するマークを含む第２プログレスバー、ユーザがブックマーク一場面に対するマークを含む第３プログレスバーのうち少なくとも一つを含む請求項１に記載の映像表示装置。
【請求項４】
前記複数のマーク位置は、前記プログレスバーのタイプタイプによって相異なる請求項１に記載の映像表示装置。
【請求項５】
前記複数のマークは、前記プログレスバー上に所定の間隔をおいて配置される請求項１に記載の映像表示装置。
【請求項６】
前記制御部は、該当映像のハイライト場面に対するマークを含む第１プログレスバーの動作を制御する第１制御部、急激な転換場面に対するマークを含む第２プログレスバーの動作を制御する第２制御部、およびユーザがブックマークした場面に対するマークを含む第３プログレスバーの動作を制御する第３制御部を含む請求項１に記載の映像表示装置。
【請求項７】
前記制御部は、前記選択されたプログレスバー上で移動するカーソルが前記マークに位置する場合、前記マークに該当する映像場面がサムネイルで表示されるように制御する請求項１に記載の映像表示装置。
【請求項８】
前記選択部は、リモコンの方向キーまたはキーボードの方向キーを含む請求項１に記載の映像表示装置。
【請求項９】
ユーザの要求に応じて前記プログレスバーを追加したり除去したりするための設定部をさらに含む請求項１に記載の映像表示装置。
【請求項１０】
（ａ）プログレスバーを選択する段階と、
（ｂ）前記選択されたプログレスバー上（ｏｎ）でコンテンツの複数の所定場面を検索するための複数のマークを表示する段階と、
（ｃ）前記選択されたプログレスバー上でカーソル（ｃｕｒｓｏｒ）を移動させて前記複数のマークのうち一つに位置させる段階、および
（ｄ）再生命令に応じて前記複数のマークのうち一つのマークに値する場面を再生する（ｒｅｐｒｏｄｕｃｉｎｇ）段階を含む映像表示装置の制御方法。
【請求項１１】
前記（ａ）段階は、該当映像のハイライト場面に対するマークを含む第１プログレスバー、急激な転換場面に対するマークを含む第２プログレスバー、ユーザがブックマークした場面に対するマークを含む第３プログレスバーのうち少なくとも一つを選択する段階を含む請求項１０に記載の映像表示装置の制御方法。
【請求項１２】
前記（ａ）段階は、リモコンの方向キーまたはキーボードの方向キーを利用して前記プログレスバーを選択する請求項１１に記載の映像表示装置の制御方法。
【請求項１３】
前記（ｂ）段階は、前記コンテンツのハイライト場面を検索するために第１プログレスバーが選択されると、前記第１プログレスバー上に前記ハイライト場面を指示する複数のマークを表示する段階を含む請求項１０に記載の映像表示装置の制御方法。
【請求項１４】
前記（ｂ）段階は、急激な転換場面を検索するために第２プログレスバーが選択されると、前記第２プログレスバー上に前記転換場面を指示する複数のマークを表示する段階を含む請求項１０に記載の映像表示装置の制御方法。
【請求項１５】
前記（ｂ）段階は、ブックマークされた場面を検索するため第３プログレスバーが選択されると、前記第３プログレスバー上に前記ブックマークした場面を指示する複数のマークを表示する請求項１０に記載の映像表示装置の制御方法。
【請求項１６】
（ｅ）前記（ｃ）段階で前記選択されたプログレスバーに沿って移動するカーソルが前記マークに位置するとき、前記マークに該当する映像場面をサムネイルで表示する段階をさらに含む請求項１０に記載の映像表示装置の制御方法。
【請求項１７】
（ｆ）ユーザの要求に応じて前記選択されたプログレスバーを追加したり除去したりする段階をさらに含む請求項１６に記載の映像表示装置の制御方法。
【発明の詳細な説明】
【技術分野】
【０００１】
本発明は、映像表示装置に関するものであって、より詳細には映像物を視聴するユーザの所望する映像場面を簡単かつ便利に検索できる映像表示装置およびその制御方法に関するものである。
【背景技術】
【０００２】
一般的に映像表示装置は、近年ＴＶ技術の発展につれ放送信号を伝送する方式も共に発展し、それにつれデジタル伝送方式を適用するデジタルＴＶに対する関心が高まっている。
【０００３】
このようなデジタルＴＶにはユーザが放送を視聴する途中、個人映像リコーダー（Ｐｅｒｓｏｎａｌ  Ｖｉｄｅｏ  Ｒｅｃｏｒｄｅｒ：ＰＶＲ）を利用してリアルタイムで映像を保存して所望する時間に再生できる映像録画および再生機能がある。
【０００４】
図１は、従来の画面表示装置で映像再生画面を示す図である。
【０００５】
図１に図示するように、従来の画面表示装置は該当映像を再生すると共に画面の下部に該当映像に対するプログレスバー１を表示する。
【０００６】
しかし、従来の映像表示装置から表示するプログレスバー１は単に現在見ている映像場面に対する進行時間および位置情報のみを提供する。したがって、映像物を視聴しているユーザが該当映像に対して所望する映像場面、例えば、ハイライト場面、急激な転換場面、ユーザがブックマークした場面などを検索しようとする場合には所望する場面が出てくるまでプログレスバー１上のカーソル３をあちこちに移動させなければならないため、ユーザの所望する映像場面を簡単かつ便利に探すことができない問題がある。
【発明の概要】
【発明が解決しようとする課題】
【０００７】
本発明は、前記のような点を解決するために案出されたものであって、映像物を視聴しているユーザの所望する映像場面を簡単かつ便利に検索できる映像表示装置およびその制御方法を提供することにその目的がある。
【０００８】
本発明の課題は、以上で言及した課題に制限されず、言及されていないまた他の課題は次の記載から当業者に明確に理解されるであろう。
【課題を解決するための手段】
【０００９】
前記課題を達成するために本発明の一実施形態による映像表示装置は、複数のプログレスバーから所定のプログレスバータイプを選択するための命令の入力を受ける選択部と、所定の映像場面検索するため複数のマーク（Ｍａｒｋ）を含む情報を保存し、前記プログレスバーに関するマーク情報を保存する保存部、および前記選択されたプログレスバーによって前記マークに該当する場面を前記保存部から呼び出して前記場面を表示するように制御する制御部を含む。
【００１０】
前記他の課題を達成するために本発明の一実施形態による映像表示装置の制御方法は、（ａ）プログレスバーを選択する段階と、（ｂ）前記選択されたプログレスバー上（ｏｎ）でコンテンツの複数の所定場面を検索するための複数のマークを表示する段階と、（ｃ）前記選択されたプログレスバー上でカーソル（ｃｕｒｓｏｒ）を移動させて前記複数のマークのうち一つに位置させる段階、および（ｄ）再生命令に応じて前記複数のマークのうち一つのマークに値する場面を再生する（ｒｅｐｒｏｄｕｃｉｎｇ）段階を含む。
【００１１】
その他実施形態の具体的な内容は詳細な説明および図に含まれている。
【発明の効果】
【００１２】
前記したような本発明の画面表示装置およびその方法によれば次のような効果が一つあるいはそれ以上ある。
【００１３】
最初に、ユーザに所定の映像場面検索の根拠を提供するためのマークを含む多様なプログレスバーを提供することによって、ユーザが所望する映像場面を簡単かつ便利に検索することができる。
【００１４】
次に、プログレスバー上でマークに沿ってカーソルを移動させることによって映像の概ねの内容を簡単に把握することができる。
【００１５】
最後に、技術の発展につれ映像場面検索に容易なプログレスバーを追加したり、予め設定したプログレスバーを削除したりすることができる。
【００１６】
本発明の効果は、以上で言及した効果に制限されず、言及されていないまた他の効果は請求範囲の記載から当業者に明確に理解できるであろう。
【図面の簡単な説明】
【００１７】
【図１】従来の画面表示装置で映像再生画面を示す図である。
【図２】本発明の一実施形態による画面表示装置の構成を示すブロック図である。
【図３】本発明の画面表示装置に含まれる多様なプログレスバーを示す図である。
【図４】本発明の画面表示装置の制御方法による動画画面表示を順次に示す図である。
【図５】本発明の画面表示装置の制御方法による動画画面表示を順次に示す図である。
【図６】本発明の画面表示装置の制御方法による動画画面表示を順次に示す図である。
【図７】本発明の画面表示装置の制御方法による動画画面表示を順次に示す図である。
【図８】本発明の画面表示装置の制御方法による動画画面表示を順次に示す図である。
【図９】本発明の画面表示装置の制御方法による動画画面表示を順次に示す図である。
【図１０】本発明の画面表示装置の制御方法を説明するためのフローチャートである。
【発明を実施するための形態】
【００１８】
本発明の利点、特徴、およびそれらを達成する方法は、添付される図面と共に詳細に後述されている実施形態を参照すれば明確になるであろう。しかし、本発明は、以下で開示される実施形態に限定されるものではなく、互いに異なる多様な形態で具現されることができ、本実施形態は単に本発明の開示が完全になるように、本発明が属する技術分野で通常の知識を有する者に発明の範疇を完全に知らせるために提供されるものであり、本発明は請求項の範囲によってのみ定義される。明細書全体にかけて同一参照符号は同一構成要素を指称する。
【００１９】
以下、添付された図面を参照して本発明の望ましい実施形態による映像表示装置およびその制御方法を詳細に説明する。参考までに本発明を説明することにおいてかかる公知の機能あるいは構成に対する具体的な説明が、本発明の要旨をあいまいにさせると判断される場合、その詳細な説明を省略する。
【００２０】
図２は、本発明の一実施形態による画面表示装置の構成を示すブロック図であり、図３は、本発明の画面表示装置に含まれる多様なプログレスバーを示す図である。
【００２１】
図２および３に図示するように、本発明の一実施形態による画面表示装置は、選択部１０、設定部２０、保存部３０、表示部４０および制御部５０などを含む。
【００２２】
前記選択部１０は、ユーザの所望する多様なプログレスバー（ｐｒｏｇｒｅｓｓ  ｂａｒ）（１，４１，４２，４３，…）を選択するためのものである。選択部１０は、画面表示装置の本体（図示せず）に一体の形で備えられ得、また前記本体とは別途にリモコン（図示せず）などのような遠隔制御装置に備えられ得る。例えば、選択部１０は画面表示装置がＴＶ、ＰＶＲなどである場合、リモコンの上、下、左、右方向キーであり、ＰＭＰ、ＰＣなどである場合にナビゲーションキーまたはキーボードの方向キーである。
【００２３】
前記設定部２０は、ユーザの要求に応じて使用する多様なプログレスバーを追加したり予め設定されたプログレスバーを除去したりするためのものである。
【００２４】
前記保存部３０は、該当映像物およびプログレスバー（１，４１，４２，４３，…）などに対する情報などを保存するためのものであり、例えばハードディスク、フラッシュメモリなどの保存媒体を含む。
【００２５】
前記プログレスバー（１，４１，４２，４３，…）は、ユーザに該当映像に対する進行位置状態を表示し、所定の映像場面検索の根拠を提供するためのマークを含む。
【００２６】
前記プログレスバー（１，４１，４２，４３，…）は、ユーザの要求に応じて多数個備えることができる。例えば、プログレスバーは現在見ている映像に対する進行時間および位置情報を表示する一般プログレスバー（Ｄｅｆａｕｌｔ  ｐｒｏｇｒｅｓｓ  ｂａｒ）１と共に、該当映像のハイライト（Ｈｉｇｈｌｉｇｈｔ）場面に対するマーク４１ａを含む第１プログレスバー４１と、急激な場面転換（Ｓｃｅｎｅ  ｃｈａｎｇｅ）に対するマーク４２ａを含む第２プログレスバー４２と、ユーザがブックマーク（Ｂｏｏｋｍａｒｋ）した場面に対するマーク４３ａを含む第３プログレスバー４３などを備える。ここで、第１プログレスバーおよび第２プログレスバー（４１，４２）にハイライト場面および急激な転換場面に対するマーク（４１ａ、４２ａ）を示す方法は、通常のデバイスコントロールモジュール（Ｄｅｖｉｃｅ  ｃｏｎｔｒｏｌ  ｍｏｄｕｌｅ：ＤＣＭ）技術を活用し、ユーザが直接ブックマークを設定することによって第３プログレスバー４３にブックマークされた場面に対するマーク４３ａを表示することができる。前記ＤＣＭおよびブックマーク技術は公知された技術で理解できるため具体的な説明は省略する。
【００２７】
前記マーク（４１ａ、４２ａ、４３ａ、…）は、ユーザに該当映像の所定場面、例えばハイライト場面、急激な転換場面、ユーザがブックマークした場面などに対する検索の根拠を提供するためのものであって、プログレスバー（４１，４２，４３，…）のタイプによって位置が相異なる。また、マーク（４１ａ、４２ａ、４３ａ、…）は、プログレスバー（４１，４２，４３，…）上に所定の間隔をおいて多数配置される。
【００２８】
前記プログレスバー（４１，４２，４３，…）のタイプと形、操作方法などは映像を視聴する機器の特性により変更することができる。
【００２９】
本実施形態では前記のようなプログレスバー（４１，４２，４３，…）を含む構成を例示したが、これに限定されず、プログレスバー（４１，４２，４３，…）は、ユーザの要求に応じて多様に備えることができる。
【００３０】
前記表示部４０は、該当映像物と、ユーザによって選択部１０から選択されるプログレスバー（４１，４２，４３，…）などをユーザが見ることができるように画面に表示する。表示部４０は、該当映像が再生する画面の下部に選択されたプログレスバーを表示するのが好ましい。
【００３１】
前記制御部５０は、選択部１０から選択されるプログレスバー（４１，４２，４３，…）を認知し、選択されたプログレスバー（４１，４２，４３，…）のタイプによって選択されたプログレスバー（４１，４２，４３，…）のマーク（４１ａ、４２ａ、４３ａ、…）に値する映像場面を保存部３０から呼び出して表示部４０に表示されるように制御する。
【００３２】
より詳細には、制御部５０はユーザによって第１プログレスバー４１が選択されると、第１プログレスバー４１上に該当映像のハイライト場面に対する検索の根拠をユーザに提供するマーク４１ａを表示し、マーク４１ａに値するハイライト場面を保存部３０から呼び出して表示するように制御する。また、制御部５０は、第２プログレスバー４２が選択さると、第２プログレスバー４２上に該当映像の急激な転換場面に対する検索の根拠をユーザに提供するマーク４２ａを表示し、マーク４２ａに該当する転換場面を保存部５０から呼び出して表示するように制御する。また、制御部５０は第３プログレスバー４３が選択されると、第３プログレスバー４３上に該当映像のブックマークした場面に対する検索の根拠をユーザに提供するマーク４３ａを表示し、マーク４３ａに該当するブックマーク場面を保存部３０から呼び出して表示するように制御する。
【００３３】
前記制御部５０は、第１プログレスバー４１の動作を制御する第１制御部５１、第２プログレスバー４２の動作を制御する第２制御部５２、第３プログレスバー４３の動作を制御する第３制御部５３などを各々備える。
【００３４】
前記制御部５０は選択されたプログレスバー（４１，４２，４３，…）上で移動するカーソル３がマーク（４１ａ、４２ａ、４３ａ、…）に位置するとき、マーク（４１ａ、４２ａ、４３ａ、…）に該当する映像場面がサムネイルで表示されるように制御する。
【００３５】
以下、図４〜１０を参照して本発明の一実施形態による画面表示装置の制御方法を具体的に説明する。
【００３６】
図４〜９は、本発明の画面表示装置の制御方法による動画画面表示を順次に示す図であり、図１０は、本発明の画面表示装置の制御方法を説明するためのフローチャートである。
【００３７】
先ず、図４に示すように、ユーザが視聴しようとする該当映像をプレーすると、該当映像が再生されると共に現在視聴している映像に対する進行時間および位置情報などをユーザに提供するプログレスバー１が画面の下部に表示される。
【００３８】
次に、図５に示すように、ユーザが該当映像を視聴しながら該当映像から所望する特定の映像場面を検索しようとする場合、選択部１０の上、下方向キーを利用して所望するプログレスバー（４１，４２，４３，…）のタイプを選択する（Ｓ１００）。例えば、ＴＶ画面に再生されている該当映像からハイライト場面を検索しようとする場合、ユーザはＴＶリモコンの上、下方向キーを利用して該当映像のハイライト場面に対するマーク４１ａを含む第１プログレスバー４１を選択する。また、該当映像から急激な転換場面を検索しようとする場合、急激な転換場面に対するマーク４２ａを含む第２プログレスバー４２を選択する。また、該当映像からユーザがブックマークした場面を検索しようとする場合、ブックマークした場面に対するマーク４３ａを含む第３プログレスバー４３を選択する。
【００３９】
本実施形態では、ＴＶなどのような画面表示装置でリモコンの上、下方向キーを利用して多様なプログレスバー（４１，４２，４３，…）を選択する方法を例示したが、これに限定されず、ＰＭＰ、ＰＣなどのような画面表示装置ではナビゲーションキーまたはキーボードの方向キーを利用して多様なプログレスバーを選択することができる。
【００４０】
次に、選択されたプログレスバー（４１，４２，４３，…）のタイプによってユーザに所定の映像場面の検索根拠を提供するためのマーク（４１ａ、４２ａ、４３ａ、…）を含むプログレスバー（４１，４２，４３，…）が画面に表示される。例えば、ユーザによって第１プログレスバー４１が選択されると（Ｓ１０１）、ユーザに該当映像のハイライト場面に対する検索根拠を提供するため前記第１プログレスバー４１上に前記ハイライト場面に対するマーク４１ａを表示する（Ｓ１０２）。また、第２プログレスバー４２が選択されると（Ｓ１０３）、ユーザに該当映像の急激な転換場面に対する検索の根拠を提供するため、前記第２プログレスバー４２上に前記転換場面に対するマーク４２ａを表示する（Ｓ１０４）。また、第３プログレスバー４３が選択されると（Ｓ１０５）、以前にユーザによって該当映像のブックマークが設定されているかどうかを判断する（Ｓ１０６）。ブックマークが設定されていれば、ユーザに該当映像のブックマークした場面に対する検索の根拠を提供するため、第３プログレスバー４３上に前記ブックマークした場面に対するマーク４３ａを表示し（Ｓ１０７）、ブックマークが設定されていなければ、第３プログレスバー４３上にマークを表示しない（Ｓ１０８）。ここで、前記マーク（４１ａ、４２ａ、４３ａ、…）はプログレスバー（４１，４２，４３，…）上に所定の間隔をおいて多数配置され、プログレスバー（４１，４２，４３，…）のタイプによって位置が相異なる。
【００４１】
次に、リモコンの左、右方向キーを押すと選択されたプログレスバー（４１，４２，４３，…）上でカーソル３が移動して前記マーク（４１ａ、４２ａ、４３ａ、…）が位置した地点に位置する（Ｓ１０９）。ここで、図６に示すように、カーソル３が前記マーク（４１ａ、４２ａ、４３ａ、…）に位置するとき、前記マーク（４１ａ、４２ａ、４３ａ、…）に該当する各々の映像場面をプログレスバー（４１，４２，４３，…）上にサムネイル５で表示するＳ１１０）。
【００４２】
次に、図７に図示するように、ユーザが視聴しようとする映像場面に該当する前記マーク（４１ａ、４２ａ、４３ａ、…）にカーソル５を位置した状態で再生（ｐｌａｙ）ボタンを押すと（Ｓ１１１）、該当場面から映像が再生され（Ｓ１１２）、再生ボタンを押さなければ、現在のカーソル位置に対応する映像は停止状態で表示される（Ｓ１１３）。
【００４３】
次に、図８に示すように、リモコンの上、下方向キーを利用してプログレスバー（４１，４２，４３，…）のタイプを変更すると、選択されたプログレスバーには該当マークが表示される。例えば、第２プログレスバーまたは第３プログレスバー（４２，４３）から第１プログレスバー４１に変更して選択すると、ユーザに該当映像のハイライト場面に対する検索の根拠を提供するため第１プログレスバー４１上に前記ハイライト場面に対するマーク４１ａを表示する。第１プログレスバー４１上でカーソル３をマーク４１ａ位置に移動しながら、該当映像場面を検索してプレーする方法については図５〜７で説明した方法と同様であるため省略する。
【００４４】
一方、ユーザの要求に応じてプログレスバー（４１，４２，４３，…）のタイプを追加したり除去したりすることができる。より詳細には、図９に示すように、プログレスバー（４１，４２，４３，…）の選択画面で、ユーザの要求に応じて予め設定されたハイライト、場面転換、ブックマークなどのようなプログレスバー（４１，４２，４３，…）を選択して除去したり、Ａｃｔｏｒ１，Ａｃｔｏｒ２，Ａｃｔｏｒ３，Ａｃｔｏｒ４，…（４４，４５，４６，４７，…）などのように新しいプログレスバーを追加することができる。例えば、ハイライト、場面転換、ブックマークの部分を表示するプログレスバー（４１，４２，４３，…）以外にも登場人物によって各人物毎にプログレスバーを作ることができ、技術の発展につれ場面検索に容易なプログレスバーを追加することも可能である。このようなプログレスバーのタイプを追加したり除去したりする技術は通常のＤＣＭ技術を活用することによってできる。
【００４５】
本発明は映像録画および再生が可能なＰＶＲを利用するすべての画面表示装置のプログレスバーに適用することができる。
【００４６】
以上添付された図面を参照して本発明の実施形態について説明したが、本発明が属する技術分野で通常の知識を有する者は、本発明がその技術的思想や必須の特徴を変更しない範囲で他の具体的な形態で実施され得るとことを理解することができる。したがって、上記実施形態はすべての面で例示的なものであり、限定的でないものと理解しなければならない。本発明の範囲は、前記詳細な説明よりは後述する特許請求の範囲によって示され、特許請求の範囲の意味、範囲およびその均等概念から導き出されるすべての変更または変形された形態が本発明の範囲に含まれると解釈されなければならない。
【符号の説明】
【００４７】
１０    選択部
２０    設定部
３０    保存部
４０    表示部
４１    第１プログレスバー
４２    第２プログレスバー
４３    第３プログレスバー
５０    制御部
５１    第１制御部
５２    第２制御部
５３    第３制御部
【図１】
2011505715.tif 000003
【図２】
2011505715.tif 000004
【図３】
2011505715.tif 000005
【図４】
2011505715.tif 000006
【図５】
2011505715.tif 000007
【図６】
2011505715.tif 000008
【図７】
2011505715.tif 000009
【図８】
2011505715.tif 000010
【図９】
2011505715.tif 000011
【図１０】
2011505715.tif 000012
【国際調査報告】
2011505715.tif 000013
2011505715.tif 000014